(57)【要約】【課題】ユーザが任意に映像情報の向きを決めることにより、ユーザの使い勝手を向上させることができる携帯電話機を提供する。【解決手段】この携帯電話機では、メニューボタンが押下されることによって（Ｂ１：Ｙｅｓ）、メニュー選択画面が表示される（Ｂ２）。そして、メニュー選択画面の映像方向コマンドが選択された場合（Ｂ４：Ｙｅｓ）には、映像方向選択画面が表示される（Ｂ５）。この映像方向選択画面において、映像情報の回転角度が選択された場合（Ｂ７：Ｙｅｓ）には、ディスプレイに表示される映像情報がステップＢ７において選択された回転角度に応じて回転して表示される（Ｂ８）。【選択図】図５
2008060710.tif 000002
【特許請求の範囲】
【請求項１】
映像情報を表示し、向きが可変であるディスプレイと、
前記ディスプレイに表示される前記映像情報の向きを選択することが可能なメニューを前記ディスプレイに表示させる表示制御手段と、
前記ディスプレイに表示される前記メニューから前記映像情報の向きを選択する選択手段と、
前記選択手段によって選択される前記映像情報の向きに基づき、前記ディスプレイに表示される前記映像情報の向きを切り替える切り替え手段とを有することを特徴とする、携帯電話機。
【請求項２】
前記ディスプレイに表示される前記映像情報の向きを記憶する記憶手段をさらに備え、
前記切り替え手段は、
前記記憶手段に記憶されている前記映像情報の向きに基づき、前記ディスプレイに表示される前記映像情報の向きを切り替えることを特徴とする、請求項１に記載の携帯電話機。
【請求項３】
前記切り替え手段を、前記メニューからの選択によらず呼び出すことが可能な切り替えボタンをさらに有することを特徴とする、請求項１又は２に記載の携帯電話機。
【請求項４】
前記切り替え手段により前記映像情報の向きを切り替えた後、所定時間後に切り替え前の前記映像情報の向きに切り替えを戻す切り替え戻し手段と、
前記所定時間を記憶するための所定時間記憶手段と、
前記切り替え戻し手段を有効にするか否かを決定する切り替え戻し決定手段とをさらに有することを特徴とする、請求項１〜３の何れか１項に記載の携帯電話機。
【発明の詳細な説明】
【技術分野】
【０００１】
本発明は、携帯電話機に関し、特に、映像情報を表示するとともに向きが可変であるディスプレイを有する携帯電話機に関する。
【背景技術】
【０００２】
近年の携帯電話は、通話機能のみならず、メール機能、カメラ機能、テレビ機能、インターネットを閲覧するブラウザ機能など種々の機能を有する音声・画像出力端末として一般的に普及している。そして、上記機能によりディスプレイに出力されたメールのテキスト情報やテレビ映像情報などを、ユーザの好みの向きのディスプレイで見るために、そのディスプレイの向きを可変にすることが可能な携帯電話機が種々提案されている（例えば、特許文献１および特許文献２参照）。
【０００３】
上記特許文献１に開示された携帯電話機は、ダイヤルキーなどが設けられた操作部と、映像情報を表示するための液晶モニタと、操作部および液晶モニタの間に設けられるヒンジ部と、液晶モニタとヒンジ部との間に設けられる回転板とにより構成されている。そして、この携帯電話機は、いわゆる折り畳み型の携帯電話であり、液晶モニタがヒンジ部を介して開閉可能に構成されている。また、開状態の液晶モニタは、回転板を介して回転可能に構成されており、カメラ機能により被写体をユーザ（自分）として撮影する場合など有効に機能する。また、この携帯電話機には、回転可能な液晶モニタの向きを検知する回転センサが設けられており、液晶モニタに表示される映像情報の向きが液晶モニタの向きに一致するように表示される。
【０００４】
また、上記特許文献２に開示された携帯電話機は、操作部を有する下側ユニットと、表示部を有する上側ユニットと、下側ユニットと上側ユニットとを開閉自在に結合するヒンジ部とを有する折り畳み型の携帯電話機である。そして、上側ユニットの表示部は、回転／スライド機構により回転可能に構成されており、縦長状態および横長状態に配置することができる。また、この携帯電話機には、回転した表示部が縦長状態にあるのか横長状態にあるのかを検知する磁気センサが設けられ、磁気センサによる検知信号に基づいて、横長状態または縦長状態の表示部に適した映像情報が表示部に表示される。
【０００５】
【特許文献１】特開２００３−３０９７５６号公報
【特許文献２】特開２００３−３１９０４３号公報
【発明の開示】
【発明が解決しようとする課題】
【０００６】
しかしながら、上記特許文献１および特許文献２に開示された携帯電話機では、センサによる検知信号に基づいて、映像情報が自動的にディスプレイに表示されるため、ユーザが任意に映像情報の向きを決めることができないという不都合があった。その結果、携帯電話機の使い勝手が悪くなる場合があるという問題点があった。
【０００７】
この発明は、上記のような課題を解決するためになされたものであり、ユーザが任意に映像情報の向きを決めることにより、ユーザの使い勝手を向上させることができる携帯電話機を提供することを目的とする。
【課題を解決するための手段および発明の効果】
【０００８】
上記目的を達成するために、この発明の携帯電話機は、映像情報を表示し、向きが可変であるディスプレイと、ディスプレイに表示される映像情報の向きを選択することが可能なメニューをディスプレイに表示させる表示制御手段と、ディスプレイに表示されるメニューから映像情報の向きを選択する選択手段と、選択手段によって選択される映像情報の向きに基づき、ディスプレイに表示される映像情報の向きを切り替える切り替え手段とを有している。
【０００９】
上記構成によると、ユーザの操作によって映像情報の向きを切り替えることが可能となるので、ユーザが正視するディスプレイの向きに合わせて、ディスプレイの映像情報の向きを変更することができる。これにより、ユーザはディスプレイを好みの向きに合わせるとともに、そのディスプレイの向きに合わせた映像情報をディスプレイに表示させることができるので、ユーザの使い勝手が向上する。例えば、携帯電話機を操作するためのサイドキーがある場合、携帯電話機の左右どちら側にサイドキーがあるのが良いかは、ユーザの好みによって異なる。この場合、サイドキーをユーザの任意の側にした状態で、映像情報の向きを変更することにより、ユーザがサイドキーを使いやすい状態で、映像情報を見ることができる。
【００１０】
上記携帯電話機において、好ましくは、ディスプレイに表示される映像情報の向きを記憶する記憶手段をさらに備えている。そして、切り替え手段は、記憶手段に記憶されている映像情報の向きに基づき、ディスプレイに表示される映像情報の向きを切り替える。
【００１１】
上記構成によると、切り替えた後の映像情報の向きを記憶する記憶手段を有しているため、携帯電話機を使用する度に、ディスプレイに表示される映像情報の向きを切り替える手間が省けて、切り替えた後の映像情報の向きのまま使用し続けることができる。その結果、ユーザの使い勝手をより向上させることができる。
【００１２】
上記携帯電話機において、好ましくは、切り替え手段を、メニューからの選択によらず呼び出すことが可能な切り替えボタンをさらに有する。
【００１３】
上記構成によると、映像情報の向きを切り替えるためのボタンを用いて、すばやく映像情報の向きを切り替えることができる。その結果、ユーザの使い勝手をより向上させることができる。
【００１４】
上記携帯電話機において、好ましくは、切り替え手段により映像情報の向きを切り替えた後、所定時間後に切り替え前の映像情報の向きに切り替えを戻す切り替え戻し手段と、所定時間を記憶するための所定時間記憶手段と、切り替え戻し手段を有効にするか否かを決定する切り替え戻し決定手段とをさらに有している。
【００１５】
上記構成によると、映像情報の向きを切り替えた後、所定時間経過後に切り替え前の映像情報の向きに戻すことができる。これにより、例えば、ユーザが映像情報の向きを切り替えて、戻し忘れがあった場合でも、ユーザの操作によらず映像情報が自動的に切り替え前の状態に戻るため、ユーザの使い勝手がより向上する場合がある。
【発明を実施するための最良の形態】
【００１６】
以下、本発明を具体化した実施形態を図面に基づいて説明する。
【００１７】
［携帯電話機の機械的構成］
まず、図１および図２を参照して、本実施形態による携帯電話機１の機械的構成について説明する。図１および図２は、本発明の一実施形態による携帯電話機の概観を示した斜視図である。
【００１８】
本実施形態による携帯電話機１は、通話機能に加えて、メール機能（メール作成やメール送受信）、テレビ機能、インターネットを閲覧するブラウザ機能、種々のアプリケーションを実行するアプリケーション機能などを有している。この携帯電話機１は、図１に示すように、ダイヤルキー１１やカーソルキー１２などの操作ボタンが設けられた下側ユニット１０と、テキスト情報や画像情報などの映像情報を表示するディスプレイ２１が設けられた上側ユニット２０と、下側ユニット１０と上側ユニット２０との間に設けられ、上側ユニット２０を下側ユニット１０に対して開閉可能に支持するヒンジ部３０とから構成される折り畳み型の携帯電話機である。
【００１９】
下側ユニット１０には、携帯電話機１を操作するための操作ボタンとして、ダイヤルキー１１、カーソルキー１２、決定ボタン１３、メニューボタン１４、切り替えボタン１５などが配置されている。ダイヤルキー１１は、“０”〜“９”、“＃”、“＊”を入力するためのボタンであって、その各ボタンには、アルファベット文字、カタカナ文字、ひらがな文字が割り当てられている。カーソルキー１２は、カーソルの位置を移動させるために設けられており、決定ボタン１３は、カーソルにより選択される項目を決定するために設けられている。これにより、例えば、ディスプレイ２１に表示される映像方向選択画面（図６（ｂ）から、カーソルキー１２および決定ボタン１３を用いて、映像情報の向きを選択することが可能となる。
【００２０】
また、メニューボタン１４は、電話帳やカメラ機能、メール機能など各種メニューを選択するためのメニュー画面（図６（ａ）参照）を上側ユニット２０のディスプレイ２１に表示させるために設けられている。また、本実施形態では、下側ユニット１０の上部には、映像方向選択画面（図６（ｂ）参照）からの選択によらず、ディスプレイ２１に表示される映像情報の向きを、例えば９０度毎に切り替えることが可能な切り替えボタン１５が設けられている。
【００２１】
また、図２に示すように、下側ユニット１０の右側面には、サイドキー１６が設けられている。このサイドキー１６は、例えば、メール機能やテレビ機能を実行するための起動ボタンとして機能する。
【００２２】
そして、ダイヤルキー１１の下側には、図１に示すように、通話時に、電話の受話器となり音声を集めるマイク１７が設けられている。また、下側ユニット１０の上部には、メールデータや通話データなどに係る電波の送受信を行うアンテナ１８が設けられている。
【００２３】
また、下側ユニット１０には、ヒンジ部３０に対してＢ１方向およびＢ２方向に回転可能な上側ユニット２０を検知する回転センサ１９ａ（図３参照）と、ヒンジ部３０を介して開閉可能な上側ユニット２０を検知する開閉センサ１９ｂ（図３参照）とが設けられている。
【００２４】
上側ユニット２０は、映像情報を表示し、向きが可変であるディスプレイ２１と、前述したマイク１７と対になって受話器となるスピーカ２２とを含んでいる。この上側ユニット２０は、ヒンジ部３０を介して下側ユニット１０に対して開閉可能に構成され、下側ユニット１０の操作ボタンを覆う閉状態と、操作ボタンを露出させる開状態とをとる。また、上側ユニット２０は、ヒンジ部３０に対して回転可能に取り付けられており、開状態となった場合に水平方向（Ｂ１方向およびＢ２方向）に回転可能となる。これにより、上側ユニット２０を開状態にして、その上側ユニット２０をＢ１方向またはＢ２方向に１８０度回転させた後、閉状態にすれば、図２に示すように、ディスプレイ２１を露出させた状態で、置く畳むことができる。この際、ディスプレイ２１の上部側（Ａ方向側）が、図１に示した開状態の携帯電話機１のディスプレイ２１と比較して、天地が反対になっているが、ディスプレイ２１に表示される映像情報は、共にユーザから見て天地が正しくなるように自動的に制御される。つまり、図１に示した携帯電話機１のディスプレイ２１には、上部側（Ａ方向側）を上側とする映像情報が表示され、図２に示した携帯電話機１のディスプレイ２１には、上部側（Ａ方向側）を下側とする映像情報が表示される。
【００２５】
［携帯電話機の電気的構成］
次に、図３を参照して、本実施形態による携帯電話機１の電気的構成について説明する。図３は、図１に示した一実施形態による携帯電話機のブロック図である。
【００２６】
携帯電話機１は、図３に示すように、ＲＯＭ、ＣＰＵおよびＲＡＭからなる制御部５１と、変復調部５４と、入出力インターフェース５５と、音声入出力インターフェース５６と、画像出力インターフェース５７とにより構成されており、それらの間はバス５８によってデータ通信可能に接続されている。
【００２７】
制御部５１のＲＯＭは、マスクＲＯＭ、ＰＲＯＭ、ＥＰＲＯＭ、ＥＥＰＲＯＭなどにより構成されている。具体的には、ＲＯＭは、本実施形態の携帯電話機１の制御用プログラムやアプリケーションプログラム、これらのプログラムの実行に必要なデータ、文字フォントデータなどを格納するために設けられている。
【００２８】
制御部５１のＣＰＵは、ＲＡＭにロードされた制御用プログラムやアプリケーションプログラムを実行するために設けられている。そして、本実施形態の制御部５１は、ＣＰＵがＲＯＭに記憶される制御用プログラムに基づいて動作することにより、回転検出部５２ａ、開閉検出部５２ｂ、表示制御部５２ｃ、切替部５２ｄ、切替戻し部５２ｅ、切替戻し決定部５２ｆとして機能する。以下、詳細に説明する。
【００２９】
回転検出部５２ａは、回転センサ１９ａからの検知信号に基づいて、ディスプレイ２１の水平方向（Ｂ１方向およびＢ２方向）の回転を検出する。また、開閉検出部５２ｂは、開閉センサ１９ｂからの検知信号に基づいて、ディスプレイ２１が開状態であるか閉状態であるかを検出する。したがって、上記した回転センサ１９ａ、回転検出部５２ａ、開閉センサ１９ｂおよび開閉検出部５２ｂにより、ディスプレイ２１の向きを把握することができる。
【００３０】
また、表示制御部５２ｃは、ＲＯＭに記憶された制御プログラムに基づいて、画像データに応じた映像信号をディスプレイ２１に送信することにより、ディスプレイ２１に種々の画面を表示させることができる。例えば、表示制御部５２ｃは、メニューボタン１４（図１参照）が押下されることよって送信される信号を受信して、ディスプレイ２１にメニュー画面（図６（ａ）参照）を表示させる映像信号をディスプレイ２１に送信する。これにより、ディスプレイ２１では、受信した映像信号に基づいて、メニュー画面が表示される。
【００３１】
切替部５２ｄは、上述したように表示されたメニュー画面（図６（ａ）参照）から選択される映像方向選択画面（図６（ｂ）参照）において、カーソルキー１２および決定ボタン１３により映像情報の向き（回転角度）が選択された場合に、映像方向記憶部５３ａに映像情報の向きが記憶されるので、その映像方向記憶部５３ａに記憶される映像情報の向きに基づき、ディスプレイ２１に表示される映像情報の向きを切り替える。
【００３２】
また、切替戻し部５２ｅは、上記した切替部５２ｄにより映像情報の向きが切り替えられてから、後述するＲＡＭの時間記憶タイマ５３ｂに記憶された時間経過後に、切り替え前の映像情報の向きに戻す機能を有している。
【００３３】
また、切替戻し決定部５２ｆは、後述する映像方向戻し機能設定画面（図９（ｃ）参照）において、有効コマンドあるいは無効コマンドが選択されるかによって、切替戻し部５２ｅを有効にするか無効にするかを決定する。
【００３４】
ＲＡＭは、ＳＲＡＭまたはＤＲＡＭなどにより構成されており、ＲＯＭに格納されている制御用プログラムやアプリケーションプログラムの読み出しに用いられる。また、ＲＡＭは、上記した制御用プログラムやアプリケーションプログラムを実行する場合に、ＣＰＵの作業領域として利用される。そして、本実施形態によるＲＡＭは、映像方向記憶部５３ａおよび時間記憶タイマ５３ｂとして機能する。以下、詳細に説明する。
【００３５】
本実施形態では、映像方向記憶部５３ａには、表示制御部５２ｃによりディスプレイ２１に表示される映像情報の向きが記憶されている。この映像情報の向きは、表示制御部５２ｃにより映像情報の向きが変更される度に、更新して記憶される。
【００３６】
また、時間記憶タイマ５３ｂには、後述する時間設定画面（図９（ｄ）参照）において入力される時間が記憶されている。これにより、切替戻し部５２ｅが有効状態である場合に、記憶された当該時間の経過後に、切替部５２ｄにより切り替えられた映像情報の向きが切り替え前の映像情報の向きに戻される。
【００３７】
変復調部５４は、データを符合化するエンコーダおよび符号化されたデータを復号化するデコーダから構成されている。具体的には、変復調部５４は、ＣＰＵにより処理された送信メールデータや音声データを符合化して入出力インターフェース５５を介して出力するとともに、アンテナ１８を介して受信したテレビ放送に係るデータや受信メールデータなどを復号化してＣＰＵなどに出力する機能を有している。
【００３８】
入出力インターフェース５５、音声入出力インターフェース５６、画像出力インターフェース５７は、たとえば、Ｄ／Ａ変換器、Ａ／Ｄ変換器などから構成されている。この入出力インターフェース５５には、アンテナ１８が接続されており、基地局から送信されたテレビ放送に係るデータや受信メールデータを変復調部５４に入力するために設けられている。また、入出力インターフェース５５には、下側ユニット１０のダイヤルキー１１やカーソルキー１２、サイドキー１６などの操作部が接続されており、上記した操作部が操作されることにより出力された操作信号がＣＰＵに入力される。そして、音声入出力インターフェース５６には、スピーカ２２およびマイク１７が接続されており、マイク１７により集音された音声データをＣＰＵに入力するとともに、ＣＰＵで処理された音声データをスピーカ２２から出力するために設けられている。また、画像出力インターフェース５７には、上側ユニット２０のディスプレイ２１が接続されており、ＣＰＵから与えられた画像データに応じた映像信号をディスプレイ２１に出力するように構成されている。
【００３９】
次に、図４を参照して、本実施形態の携帯電話機１による映像情報の向きを自動的に制御する方法について説明する。図４は、図１に示した一実施形態の携帯電話機による映像情報の向きを制御する方法を示したフローチャートである。
【００４０】
まず、回転センサ１９ａによりディスプレイ２１が回転したか否かが判断される（Ａ１）。回転センサ１９ａによりディスプレイ２１の回転が検知された場合（Ａ１：Ｎｏ）には、ディスプレイ２１の上部側がユーザから見て上方に配置されるので、映像情報の向きは変更されず、ディスプレイ２１には、上部側（Ａ方向側）を上側とする映像情報が表示される（Ａ２）。
【００４１】
これに対して、回転センサ１９ａによりディスプレイ２１の回転が検知される場合（Ａ１：Ｙｅｓ）には、開閉センサ１９ｂによりディスプレイ２１が開状態となったか否かが判断がされる（Ａ３）。開閉センサ１９ｂが検知しない場合（Ａ３：Ｎｏ）には、ディスプレイ２１が開状態となる。したがって、ディスプレイ２１の上部側（Ａ方向側）がユーザから見て上方に配置されるので、映像情報の向きは変更されず、ディスプレイ２１には、上部側（Ａ方向側）を上側とする映像情報が表示される（Ａ２）。
【００４２】
そして、開閉センサ１９ｂが検知する場合（Ａ３：Ｙｅｓ）には、ディスプレイ２１は閉状態となる。したがって、ディスプレイ２１の上部側（Ａ方向側）がユーザから見て下方に配置されるので、映像情報の向きが１８０度回転されて、ディスプレイ２１には、上部側（Ａ方向側）を下側とする映像情報が表示される（Ａ４）。これにより、ユーザは、携帯電話機１を折り畳んでディスプレイ２１を見ることが可能な状態（図２に示す状態）にしても、そのディスプレイ２１に表示される映像情報が天地反対にならずに見ることができる。
【００４３】
以上、図４では、回転センサ１９ａおよび開閉センサ１９ｂにより検知された検知情報に基づいて、ディスプレイ２１の向き（回転、開閉）を検知して、自動的に映像情報の向きを変更する方法について説明したが、本実施形態による携帯電話機１では、ディスプレイ２１に表示される映像情報を任意に変更することも可能である。以下、図５および図６を参照して、本実施形態の携帯電話機１による映像情報の向きを任意に変更する方法について説明する。図５および図６は、本実施形態の携帯電話機１による映像情報の向きを任意に変更する方法を説明するための図である。
【００４４】
まず、メニューボタン１４が押下されたか否かが判断される（Ｂ１）。そして、メニューボタン１４が押下された場合（Ｂ１：Ｙｅｓ）には、メニューボタン１４の押下に応じた信号に基づいて、ディスプレイ２１にメニュー画面（図６（ａ）参照）が表示される（Ｂ２）。
【００４５】
これに対して、メニューボタン１４が押下されていない場合（Ｂ１：Ｎｏ）には、他の操作が行われたか否かの判断がされる（Ｂ３）。そして、他の操作が行われた場合（Ｂ３：Ｙｅｓ）には、処理を終了して、他の操作が行われていない場合（Ｂ３：Ｎｏ）には、再びステップＢ１の判断が繰り返される。
【００４６】
次に、メニュー画面（図６（ａ）参照）に表示される映像方向コマンド（図中では、「７．映像方向」）が選択されたか否かが判断される（Ｂ４）。そして、映像方向コマンドが選択された場合（Ｂ４：Ｙｅｓ）には、映像方向コマンドの選択に応じた信号に基づいて、ディスプレイ２１に映像方向選択画面（図６（ｂ）参照）が表示される（Ｂ５）。
【００４７】
これに対して、映像方向コマンドが選択されない場合（Ｂ４：Ｎｏ）には、ステップＢ３と同様に、他の操作が行われたか否かの判断がされる（Ｂ６）。そして、他の操作が行われた場合（Ｂ６：Ｙｅｓ）には、処理を終了して、他の操作が行われていない場合（Ｂ６：Ｎｏ）には、再びステップＢ４の判断が繰り返される。
【００４８】
次に、映像方向選択画面（図６（ｂ）参照）に表示される映像情報の回転角度（図中では、「１．９０度回転」、「２．１８０度回転」、「３．２７０度回転」のいずれか）が選択されたか否かが判断される（Ｂ７）。そして、映像情報の回転角度が選択された場合（Ｂ７：Ｙｅｓ）には、選択された回転角度に応じて、ディスプレイ２１に表示される映像情報の向きが変更される（Ｂ８）。この際、ＲＡＭの映像方向記憶部５３ａには、映像情報の向きが記憶更新される。例えば、図６（ｂ）に示すように、「２．１８０度回転」が選択された場合には、映像情報が１８０度回転して、ディスプレイ２１に表示されるとともに、ＲＡＭの映像方向記憶部５３ａに映像情報の向き（１８０度回転）が記憶される。なお、映像情報の回転角度を９０度、１８０度または２７０度としたが、本発明は上記した回転角度に限定されない。
【００４９】
これに対して、映像情報の回転角度が選択されない場合（Ｂ７：Ｎｏ）には、ステップＢ３およびステップＢ６と同様に、他の操作が行われたか否かの判断がされる（Ｂ９）。そして、他の操作が行われた場合（Ｂ９：Ｙｅｓ）には、処理を終了して、他の操作が行われていない場合（Ｂ９：Ｎｏ）には、再びステップＢ７の判断が繰り返される。上記のようにして、ディスプレイ２１に表示される映像情報を任意に変更することができる。
【００５０】
これにより、例えば、図７（ａ）に示す携帯電話機１の天地を逆にして、映像情報の向きを１８０度回転させれば、図７（ｂ）に示すように、携帯電話機１の天地を逆にしても使用することもできる。したがって、サイドキー１６をユーザの好みの位置又は使いやすい位置（右側または左側）に配置して、映像情報を見ることができる。
【００５１】
また、本実施形態による携帯電話機１には、映像情報の向きを任意に変更した場合に、その変更を所定時間経過後に自動的に戻す機能も有している。以下、図８および図９を参照して、本実施形態の携帯電話機１による映像情報の向きを戻す機能を設定する方法について説明する。図８および図９は、本実施形態の携帯電話機による映像情報の向きを自動的に戻す機能を設定する方法を説明するための図である。
【００５２】
まず、メニューボタン１４（図１参照）が押下されたか否かが判断される（Ｃ１）。そして、メニューボタン１４が押下された場合（Ｃ１：Ｙｅｓ）には、メニューボタン１４の押下に応じた信号に基づいて、ディスプレイ２１にメニュー画面（図９（ａ）参照）が表示される（Ｃ２）。
【００５３】
これに対して、メニューボタン１４が押下されていない場合（Ｃ１：Ｎｏ）には、他の操作が行われたか否かの判断がされる（Ｃ３）。そして、他の操作が行われた場合（Ｃ３：Ｙｅｓ）には、処理を終了して、他の操作が行われていない場合（Ｃ３：Ｎｏ）には、再びステップＣ１の判断が繰り返される。
【００５４】
次に、メニュー画面（図９（ａ）参照）に表示されるその他コマンド（図中では、「９．その他」）が選択されたか否かが判断される（Ｃ４）。そして、その他コマンドが選択された場合（Ｃ４：Ｙｅｓ）には、その他コマンドの選択に応じた信号に基づいて、ディスプレイ２１に電卓やアラームなどの種々の機能を利用するために表示される画面（図９（ｂ）参照）が表示される（Ｃ５）。
【００５５】
これに対して、その他コマンドが選択されない場合（Ｃ４：Ｎｏ）には、他の操作が行われたか否かの判断がされる（Ｃ６）。そして、他の操作が行われた場合（Ｃ６：Ｙｅｓ）には、処理を終了して、他の操作が行われていない場合（Ｃ６：Ｎｏ）には、再びステップＣ４の判断が繰り返される。
【００５６】
次に、図９（ｂ）の画面に表示される映像方向戻し機能コマンド（図中では、「９．映像戻し機能」）が選択されたか否かが判断される（Ｃ７）。そして、映像方向戻し機能コマンドが選択された場合（Ｃ７：Ｙｅｓ）には、映像方向戻し機能コマンドの選択に応じた信号に基づいて、ディスプレイ２１に映像方向戻し機能設定画面（図９（ｃ）参照）が表示される（Ｃ８）。
【００５７】
これに対して、映像方向戻し機能コマンドが選択されない場合（Ｃ７：Ｎｏ）には、他の操作が行われたか否かの判断がされる（Ｃ９）。そして、他の操作が行われた場合（Ｃ９：Ｙｅｓ）には、処理を終了して、他の操作が行われていない場合（Ｃ９：Ｎｏ）には、再びステップＣ７の判断が繰り返される。
【００５８】
次に、映像方向戻し機能設定画面（図９（ｃ）参照）に表示される有効コマンド（図中では、「２．有効」）が選択されたか否かが判断される（Ｃ１０）。そして、有効コマンドが選択された場合（Ｃ１０：Ｙｅｓ）には、有効コマンドの選択に応じた信号に基づいて、ディスプレイ２１に時間設定画面（図９（ｄ）参照）が表示される（Ｃ１１）。
【００５９】
これに対して、有効コマンドが選択されない場合（Ｃ１０：Ｎｏ）には、映像方向戻し機能設定画面に表示される無効コマンド（図中では、「１．無効」）が選択されたか否かが判断される（Ｃ１２）。そして、無効コマンドが選択された場合（Ｃ１２：Ｙｅｓ）には、切替戻し決定部５２ｆが切替戻し部５２ｅをＯＦＦに設定して（Ｃ１３）、処理が終了する。また、無効コマンドが選択されない場合（Ｃ１２：Ｎｏ）には、他の操作が行われたか否かの判断がされる（Ｃ１４）。そして、他の操作が行われた場合（Ｃ１４：Ｙｅｓ）には、処理を終了して、他の操作が行われていない場合（Ｃ１４：Ｎｏ）には、再びステップＣ１０の判断が繰り返される。
【００６０】
次に、時間設定画面（図９（ｄ）参照）に表示される時間設定欄（図中では、「２０分」）に時間が入力されたか否かが判断される（Ｃ１５）。そして、時間が設定された場合（Ｃ１５：Ｙｅｓ）には、ＲＡＭの時間記憶タイマ５３ｂに所定時間が記憶される。そして、時間記憶タイマ５３ｂに記憶された時間の経過後（例えば、２０分経過後）に映像情報の向きの変更を戻す切替戻し部５２ｅを切替戻し決定部５２ｆがＯＮに設定して（Ｃ１６）、処理が終了する。
【００６１】
これに対して、時間設定欄に時間が入力されない場合（Ｃ１５：Ｎｏ）には、他の操作が行われたか否かの判断がされる（Ｃ１７）。そして、他の操作が行われた場合（Ｃ１７：Ｙｅｓ）には、処理を終了して、他の操作が行われていない場合（Ｃ１７：Ｎｏ）には、再びステップＣ１５の判断が繰り返される。上記のようにして、映像情報の向きを自動的に戻す機能を設定する。
【００６２】
以上、説明したように、本実施形態では、ユーザの操作によって映像情報の向きを任意に切り替えることが可能となるので、ユーザが正視するディスプレイ２１の向きに合わせて、ディスプレイ２１の映像情報の向きを変更することができる。これにより、ユーザはディスプレイ２１を好みの向きに合わせるとともに、そのディスプレイ２１の向きに合わせた映像情報をディスプレイ２１に表示させることができるので、ユーザの使い勝手が向上する。具体的には、右側面にサイドキー１６が設けられている本実施形態の携帯電話機１において、サイドキー１６を左側から押下する方が使いやすい場合に、図７（ｂ）に示すように、携帯電話機１の天地を逆にすれば、サイドキー１６を左側面に配置することができるので、ユーザの使い勝手が向上する。
【００６３】
また、本実施形態では、切り替えた後の映像情報の向きを記憶する映像方向記憶部５３ａを有しているため、携帯電話機１を使用する度に、ディスプレイ２１に表示される映像情報の向きを切り替える手間が省けて、切り替えた後の映像情報の向きのまま使用し続けることができる。その結果、ユーザの使い勝手をより向上させることができる。
【００６４】
また、本実施形態では、映像情報の向きを切り替えた後、所定時間経過後に切り替え前の映像情報の向きに戻すことができる。これにより、例えば、ユーザが映像情報の向きを切り替えて、戻し忘れがあった場合でも、ユーザの操作によらず映像情報が自動的に切り替え前の状態に戻るため、ユーザの使い勝手がより向上する場合がある。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
例えば、上記実施形態では、メニューボタンを押下することにより表示されるメニュー画面（図６（ａ）参照）において、映像方向コマンドを選択して、映像方向選択画面（図６（ｂ）参照）を表示させた後、その映像方向選択画面において、回転角度を選択することにより、映像情報の回転角度を任意に選択する例を示したが、本発明はこれに限らず、切り替えボタン１５（図１参照）を押下することにより表示される映像方向選択画面（図６（ｂ）参照）において、回転角度を選択することにより、映像情報の回転角度を任意に選択してもよい。これにより、すばやく映像情報の向きを切り替えることができる。
【００６７】
また、上記実施形態では、図９（ｄ）に示した時間設定画面において設定された時間の経過後に、切り替え前の映像情報の向きに戻す例を説明したが、本発明はこれに限らず、予め時間記憶タイマ５３ｂに記憶されている時間の経過後に、切り替え前の映像情報の向きに戻してもよい。
【００６８】
また、上記実施形態では、ディスプレイの向きが１８０度回転する携帯電話機について説明したが、本発明はこれに限定されない。例えば、ディスプレイの向きが９０度毎に回転する携帯電話機であってもよいし、ディスプレイが斜めに停止する携帯電話機であってもよい。
【図面の簡単な説明】
【００６９】
【図１】本発明の一実施形態による携帯電話機の概観を示した斜視図である。
【図２】図１に示した一実施形態による携帯電話機の概観を示した斜視図である。
【図３】図１に示した一実施形態による携帯電話機のブロック図である。
【図４】図１に示した一実施形態の携帯電話機による映像情報の向きを制御する方法を示したフローチャートである。
【図５】図１に示した一実施形態の携帯電話機による映像情報の向きを任意に変更する方法を示したフローチャートである。
【図６】図５に示したフローチャートに従って映像情報の向きを任意に変更する際に、ディスプレイに表示される各画面を示した図である。
【図７】図１に示した一実施形態の携帯電話機の天地を逆にした図である。
【図８】図１に示した一実施形態の携帯電話機による映像情報の向きを自動的に戻す機能を設定する方法を示したフローチャートである。
【図９】図８に示したフローチャートに従って映像情報の向きを自動的に戻す機能を設定する際に、ディスプレイに表示される各画面を示した図である。
【符号の説明】
【００７０】
１  携帯電話機
１２  カーソルキー（選択手段）
１３  決定ボタン（選択手段）
１５  切り替えボタン
２１  ディスプレイ
５２ｃ  表示制御部（表示制御手段）
５２ｄ  切替部（切り替え手段）
５２ｅ  切替戻し部（切り替え戻し手段）
５２ｆ  切替戻し決定部（切り替え戻し決定手段）
５３ａ  映像方向記憶部（記憶手段）
５３ｂ  時間記憶タイマ（所定時間記憶手段）
【図１】
2008060710.tif 000003
【図２】
2008060710.tif 000004
【図３】
2008060710.tif 000005
【図４】
2008060710.tif 000006
【図５】
2008060710.tif 000007
【図６】
2008060710.tif 000008
【図７】
2008060710.tif 000009
【図８】
2008060710.tif 000010
【図９】
2008060710.tif 000011